(57)【要約】【課題】超音波振動篩装置における、篩盤のふるい分け効果を均等にする。【解決手段】底座１および篩モジュール２からなり、底座１の収納器１１内部には篩分けされた粒子を収集する収納空間１０が形成されその上方に篩モジュール２が装着される。篩モジュール２は、位置決めリング２１１に支持された篩２１２を設けた篩盤２１を具え、外付けの超音波発生装置に接続し、中央に位置する伝動部２１３から外縁の位置決めリング２１１放射状に延伸した三つ以上のアーム２１４を介して、超音波振動を伝達することにより、篩盤２１全体を均一に振動させて、効果的に篩分けを行う。【選択図】図２
0003193929.tif 000002
【実用新案登録請求の範囲】
【請求項１】
内部に篩モジュールを配置する収納空間を有する収納器を設けた底座、と篩
モジュールとからなり、
上記底座の収納器は、篩分けされた粒体を中央の収集口に導く斜面を前記収納空間に設けると共に該収集口を前記収納器の外側に向かって出口を貫通して設け、
上記篩モジュールは、前記底座の前記収納器に位置決めを行う位置決めリングを設けると共に該位置決めリング内側に篩網を支持して設け、前記位置決めリングから中央に向けて放射状に延伸した三つ以上のアームを設けて該篩網の一方の外表面の中央に振動エネルギーを受け取る伝動部を架設し、
外部の超音波装置から超音波エネルギー受け取るアダプター、該アダプターから超音波エネルギーを伝達するコード、及び該コードから伝達された超音波エネルギーを振動エネルギーに転換するコンバーターを介して上記伝動部に振動を伝達せしめ、上記アームを介して位置決めリングに均等に振動を伝達せしめることを特徴とする超音波振動篩装置。
【請求項２】
前記アームは、中空管体、棒体、又は板片から形成し、前記篩網の上方に等間隔に配置されると共に、隣り合う二つの前記アームの間にそれぞれ横方向に接続する一つ以上の振動伝達補助体を設け、前記振動伝達補助体は中空管体、棒体、又は板片であることを特徴とする請求項１に記載の超音波振動篩装置。
【請求項３】
前記篩盤の伝動部の一方の内側に挿着孔を設けて前記コンバーターの一方の表面に設けられた差込を挿着して組み合わせ、
前記位置決めリングに篩い分け材料の脱出を防止するカバーが装着され、
該カバー内部に複数の投入口が形成され、前記位置決めリングの直径が４０〜８０ｃｍであることを特徴とする請求項１に記載の超音波振動篩装置。
【考案の詳細な説明】
【技術分野】
【０００１】
本考案は、超音波振動篩装置に関し、特に、アームにより振動エネルギーを均等に篩盤に伝達し、篩盤を均一に振動させて好適な篩分け効果を有する超音波振動篩装置に関する。
【背景技術】
【０００２】
テクノロジーの全盛時代になり、生活の質が向上し、日常生活および製造業で用いられる道具に対する品質要求が高まる中で、メーカーは高精密加工機器により道具の生産を行い、品質の向上だけでなく、大量生産によるコスト削減を行うなどして消費者のニーズを満足させてきた。
粉末や顆粒状の原料を用いる分野では、出荷前に行う篩分け作業が非常に重要な工程であった。食料品分野では、小麦粉、片栗粉、穀物、豆類、食塩、砂糖、うま味調味料など原料が粉末、顆粒状のものが多いが、それ以外にも、住宅の建造に用いられるセメント、砂など、医療に用いられる粉薬、錠剤、石膏など、工場で用いられるボルト、ナットなどの小型部品がある。製造工程において、粉末や顆粒状の物は、周囲の環境から悪影響を受けることが多く、混ざり合って大きな顆粒、塊、団子状になるなど体積が大きくなり、使用できなくなることもあった。
【０００３】
図５を参照する。図５は、従来技術による超音波振動篩装置を示す斜視図である。図５に示すように、医療に用いられる粉薬、錠剤でも、食料の小麦粉、片栗粉、穀物、豆類などの大量の粒体でも、超音波振動篩装置が所定の数量の粒体に篩分けを行うことにより、所定の体積の粒体を篩分けすることができる。まず、複数の所定の粒体を超音波振動篩装置内部の篩盤Ａの篩網Ａ１上に置き、超音波装置ＢのコードＢ３が外付けの超音波発信機の提供する超音波エネルギーをコードＢ２を介してコンバーターＢ１に伝達し、コンバーターＢ１が超音波エネルギーを振動エネルギーに転換し、外縁部Ａ２内部の内縁部Ａ３の側縁に伝達し、振動エネルギーを内縁部Ａ３に沿って複数のアームＡ４から外縁部Ａ２の各部に伝達することにより、篩盤Ａが篩網Ａ１を振動させ、複数の所定の粒体を篩網Ａ１の表面で回転させたり、跳躍させたりして篩網Ａ１の複数の所定の網目を利用して複数の所定の粒体を篩分ける。これにより、所定の体積の粒体を篩分けることができる。
【０００４】
上記の超音波装置ＢのコンバーターＢ１が振動エネルギーを篩盤Ａの内縁部Ａ３の側縁に伝達すると、振動エネルギーが伝達距離により減衰するため、内縁部Ａ３上でコンバーターＢ１から近い位置では振動が強く、遠い位置では弱くなる。内縁部Ａ３の各所において強弱の異なる振動がアームＡ４により外縁部Ａ２に伝導すると、篩盤Ａの篩網Ａ１が不均等な振動を受け、篩網Ａ１表面の各所において複数の所定の粒体が異なる振動の強度により異なる篩分け作用が生まれる。篩網Ａ１上の各位置が振動の強度により、篩分けの速度が異なるため、篩網Ａ１上で振動強度が弱い位置では原料が堆積したり、塊や団子状になったりするなどの短所があり、篩分け効果を不良にしていた。そのため、篩盤Ａが迅速で均等な篩分け作業を行い、ニーズに合った粉末または顆粒状の所定の粒体を得ることができなかった。
【先行技術文献】
【特許文献】
【０００５】
【特許文献１】特開２０１３−２５３４９３号公報
【考案の概要】
【考案が解決しようとする課題】
【０００６】
本考案の目的は、アームにより振動エネルギーを均等に篩盤に伝達し、篩盤を均一に振動させて好適な篩分け効果を有する超音波振動篩装置を提供することにある。
【課題を解決するための手段】
【０００７】
上述の目的を達成するため、本考案は、超音波振動篩装置を提供する。本考案の超音波振動篩装置は、底座および篩モジュールからな。底座の収納器内部には収納空間が形成され、モジュールが装着される。モジュールは、外付けの超音波発生装置に接続する篩盤を設けている。
篩盤の位置決めリング内に設けられ、振動エネルギーを受け取る伝動部と、伝動部から外縁の位置決めリングに向かって放射状に延伸した三つ以上のアームにより、振動エネルギーを中央から外側に向かって放射状に均等に伝達し、篩盤を均一に振動させ、所定の粒体を篩網上で回転させたり、跳躍させたりして所定の体積の複数の所定の粒体を効果的に篩分けることができる。
【考案の効果】
【０００８】
本考案の超音波振動篩装置は、篩盤上に設けられた構造が簡単な三つ以上のアームが、伝動部に伝達された振動エネルギーを均等に位置決めリングに伝達し、篩盤を均一に振動させ、所定の粒体を篩網上で回転させたり、跳躍させたりすることにより所定の体積の所定の粒体の篩分けを行うことができる。
【図面の簡単な説明】
【０００９】
【図１】本考案の第1の実施形態による超音波振動篩装置を示す斜視図である。
【図２】本考案の第1の実施形態による超音波振動篩装置を示す分解斜視図である。
【図３】本考案の篩盤を示す斜視図である。
【図４】本考案の第２の実施形態による超音波振動篩装置の篩を示す斜視図である。
【図５】従来技術による超音波振動篩装置を示す斜視図である。
【考案を実施するための形態】
【００１０】
以下、本考案の実施形態を図面に基づいて説明する。
【００１１】
図１〜４を参照する。図１は、本考案の第1の実施形態による超音波振動篩装置を示す斜視図である。図２は、本考案の第1の実施形態による超音波振動篩装置を示す分解斜視図である。図３は、本考案の篩盤を示す斜視図である。図４は、本考案の第２の実施形態による超音波振動篩装置の篩を示す斜視図である。図１〜４に示すように、本考案の超音波振動篩装置は、底座１および篩モジュール２を含む。
【００１２】
底座１は、内部に収納空間１０を有する収納器１１を上部に設けている。収納器１１は、底座１向かって収束するように傾斜した斜面１２を収納空間１０内に設けている。斜面１２は、収集口１３を中央の底部に設けている。収集口１３には、収納器１１の外側に向かって出口１４が貫通して設けられている。出口１４は、外部の下方に向かって傾斜するように延伸している。
【００１３】
篩モジュール２は、位置決めリング２１１を外周に有する篩盤２１を設けている。位置決めリング２１１の所定の直径は、４０〜８０ｃｍでよい。位置決めリング２１１は、複数の所定の網目を有する篩網２１２を内側に設けている。篩網２１２は、金属または延展性を有する細線材料を編んで成型したものであったり、金属の平板をプレスして複数の極小の穴をあけたものであったりする。また、篩網２１２は、伝動部２１３を中央に架設している。伝動部２１３は、一方に内側に凹んだ挿着孔２１３０を有する。篩網２１２の上部には伝動部２１３から位置決めリング２１１に向かって放射状に延伸した三つ以上のアーム２１４がある。アーム２１４は、中空管体、棒体、板片などでもよい。アーム２１４は、篩網２１２の上方に等間隔を置いて別々に配置されている。
さらに、篩網２１２は、コンバーター２２１を有する超音波装置２２を設けている。コンバーター２２１は、伝動部２１３の挿着孔２１３０に挿着組み合わせられる差込２２１１を設けている。コンバーター２２１は、コード２２２を片側に設けている。コード２２２は、もう一方の側がアダプター２２３に接続され、外付けの所定の超音波発生装置に電気的に接続することにより、必要な超音波エネルギーが提供される。位置決めリング２１１の上方に、投入口２３０を内部に形成した環状カバー２３が設けられている。
【００１４】
図１〜３を参照する。図１〜３に示すように、本考案の超音波振動篩装置が組み立てられる際、底座１の収納器１１内部の収納空間１０に、篩モジュール２の篩盤２１および超音波装置２２が装着され、カバー２３内部の投入口２３０が篩盤２１の篩網２１２に対応するように装着され、篩盤２１の伝動部２１３が超音波装置２２のコンバーター２２１に電気的に接続され、コンバーター２２１のコード２２２がもう一方の側のアダプター２２３により外付けの所定の超音波発生装置に電気的に接続され、篩モジュール２が底座１に装着されると、篩盤２１の位置決めリング２１１が収納器１１の内側面を支持し、収納空間１０内に位置決めが行われる。以上のように、超音波振動篩装置は、底座１、篩モジュール２などからなる。
【００１５】
図１〜３を参照する。図１〜３に示すように、本考案の超音波振動篩装置が使用される際、まず底座１が所定の機材の上に装着固定され、出口１４の下方にボール、トレイ、箱などの所定の受け取り容器が置かれる。小麦粉、粉薬、錠剤、穀物など篩分けする所定の体積の複数の所定の粒体が、篩モジュール２のカバー２３の投入口２３０内に投入されると、外付けの所定の超音波発生装置に必要な超音波エネルギーが供給され、コード２２２によりコンバーター２２１に伝達され、超音波エネルギーを振動エネルギーに転換し、伝動部２１３を振動させる。伝動部２１３は、振動エネルギーを各アーム２１４に伝達することにより外縁の位置決めリング２１１を連動させ、篩盤２１および底座１を個別に均一に振動させ、篩盤２１の上方のカバー２３の投入口２３０内の所定の粒体が篩盤２１の振動により篩網２１２上で回転したり、跳躍したりすると、篩網２１２の複数の所定の網目を通して複数の所定の粒体を篩分ける。篩網２１２に篩分けられた所定の粒体は、収納器１１の収納空間１０内に落ちて、斜面１２に沿って底座１の収集口１３に滑り落ちる。収集口１３の所定の粒体は、底座１の振動により出口１４に移動し、出口１４下方の所定の受け取り容器に落ちる。
以上のように、所定の体積の粒体の篩分け作業が完成する。本考案の超音波振動篩装置は、篩盤２１上に設けられた構造が簡単な三つ以上のアーム２１４により伝動部２１３に伝達された振動エネルギーを均等に位置決めリング２１１に伝達し、篩盤２１を均一に振動させ、所定の粒体を篩網２１２上で回転させたり、跳躍させたりすることにより所定の体積の所定の粒体の篩分けを行うことができる。
【００１６】
図４を参照する。図４に示すように、篩モジュール２の篩盤２１の三つ以上のアーム２１４は、隣り合う二つのアーム２１４の間にそれぞれ横方向に接続する１つ以上の振動伝達補助体２１４１を設けてもよい。振動伝達補助体２１４１は、中空管体、棒体、板片などでもよく、振動エネルギーの伝達を補助し、篩盤２１を均一に振動させ、所定の粒体の篩分けを行う。
【００１７】
以上は、本考案の好適な実施形態でこれに限定されるものではない。本考案の超音波振動篩装置は、底座１および篩モジュール２を含む。底座１の収納器１１内部には収納空間１０が形成され、モジュール２が装着される。モジュール２は、外付けの超音波発生装置に接続する篩盤２１を設けている。篩盤２１の位置決めリング２１１内に設けた振動エネルギーを受け取る伝動部２１３と、伝動部２１３から外縁の位置決めリング２１１に向かって放射状に延伸した三つ以上のアーム２１４との構成により、振動エネルギーを中央から外側に向かって放射状に均等に伝達し、篩盤２１を均一に振動させ、所定の粒体を篩網２１２上で回転させたり、跳躍させたりして所定の体積の複数の所定の粒体を効果的に篩分けることができる。
【００１８】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１９】
Ａ  篩盤
Ａ１  篩網
Ａ２  外縁部
Ａ３  内縁部
Ａ４  アーム
Ｂ  超音波装置
Ｂ１  コンバーター
Ｂ２  コード
Ｂ３  アダプター
１  底座
２  篩モジュール
１０  収納空間
１１  収納器
１２  斜面
１３  収集口
１４  出口
２１  篩盤
２２  超音波装置
２３  カバー
２１１  位置決めリング
２１２  篩網
２１３  伝動部
２１４  アーム
２２１  コンバーター
２２２  コード
２２３  アダプター
２３０  投入口
２１３０  挿着孔
２１４１  振動伝達補助体
２２１１  差込
【図１】
0003193929.tif 000003
【図２】
0003193929.tif 000004
【図３】
0003193929.tif 000005
【図４】
0003193929.tif 000006
【図５】
0003193929.tif 000007
【手続補正書】
【提出日】平成26年8月22日(2014.8.22)
【手続補正１】
【補正対象書類名】実用新案登録請求の範囲
【補正対象項目名】請求項３
【補正方法】変更
【補正の内容】
【請求項３】
前記伝動部の一方の内側に挿着孔を設けて前記コンバーターの一方の表面に設けられた差込を挿着して組み合わせ、
前記位置決めリングに篩い分け材料の脱出を防止するカバーが装着され、
該カバー内部に複数の投入口が形成され、前記位置決めリングの直径が４０〜８０ｃｍであることを特徴とする請求項１に記載の超音波振動篩装置。